(57)【要約】【課題】  浸水防止シートの緩みや皺を生じさせずに、簡単且つ迅速に建物の外周に浸水防止シートを固定することができ、特に、浸水防止シートの下方側からの建物への水の浸入や窓サッシやドアサッシの隙間部分からの建物への水の浸入を防止する。【解決手段】  洪水などの浸水があったときに建物の外壁２０、ブロック２１などの建物の浸水防止領域に配される浸水防止シート１０を使用して、建物等の外周に配される外壁２０、ブロック２１の外周部材に取り付けられる一方側嵌合部材１ａと、浸水防止シート１０を介して嵌合させる他方側嵌合部材１ｂを備え、浸水防止シート１０を一方側嵌合部材１ａと他方側嵌合部材１ｂで嵌合して取り付ける。【選択図】  図２
2015086657.tif 000002
【特許請求の範囲】
【請求項１】
洪水などの浸水があったときに建物の外壁、ブロック、シャッター、柱、ドア・扉や玄関などの建物の浸水防止領域に配される浸水防止シートを使用して、建物への水の進入を防止する建物への浸水防止シートの取り付け具において、建物等の外周に配される外壁、ブロック、シャッター、柱、ドア・扉や玄関等の外周部材に取り付けられる一方側嵌合部材と、前記浸水防止シートを介して嵌合させる他方側嵌合部材を備え、前記浸水防止シートを一方側嵌合部材と他方側嵌合部材で嵌合して取り付けることを特徴とする建物への浸水防止シートの取り付け具。
【請求項２】
前記一方側嵌合部材に対して他方側嵌合部材がスライド動作可能であることを特徴とする請求項１記載の浸水防止シートの取り付け具。
【請求項３】
サッシ窓、ドアサッシ又は、建物の外周に前記一方側嵌合部材を取り付けるための固定用部材が予め取り付けられていることを特徴とする請求項１又は２記載の建物への浸水防止シートの取り付け具。
【請求項４】
前記一方側嵌合部材、又は、前記固定用部材は、建物の外周に設けられる凹状の隙間に入り込む弾性変形可能な凸状部を有することを特徴とする請求項１ないし３のいずれか１項記載の建物への浸水防止シートの取り付け具。
【請求項５】
洪水などの浸水があったときに建物の外壁、ブロック、シャッター、柱、ドア・扉や玄関などの建物の浸水防止領域に配される浸水防止シートを使用して、建物への水の進入を防止する浸水防止シートの施工方法において、建物等の外周に配される外壁、ブロック、シャッター、柱、ドア・扉や玄関等の外周部材に取り付けられる一方側嵌合部材と、前記浸水防止シートを介して嵌合させる他方側嵌合部材を備え、前記浸水防止シートを一方側嵌合部材と他方側嵌合部材で嵌合して取り付けることを特徴とする浸水防止シートの施工方法。
【請求項６】
前記一方側嵌合部材は、建物の外壁、ブロック、シャッター、柱、ドア・扉や玄関等の外周部材に予め取り付けておき、天気予報などによる浸水防止対策の必要時に、前記浸水防止シートを介して他方側嵌合部材を一方側嵌合部材に嵌合して取り付けることを特徴とする請求項１記載の浸水防止シートの施工方法。
【請求項７】
前記一方側嵌合部材は、建物の窓サッシ又はドアサッシに予め配置しておき、天気予報などによる浸水防止対策の必要時に、前記浸水防止シートを介して他方側嵌合部材を一方側嵌合部材に嵌合して取り付けることを特徴とする請求項１記載の浸水防止シートの施工方法。
【請求項８】
前記浸水防止シートの下端側を固定するために、建物の外壁近くの地面にコンクリートやモルタルなどの下敷き施工を施して、前記一方側嵌合部材又は前記固定用部材を取り付けることを特徴とする請求項４ないし７のいずれか１項記載の浸水防止シートの施工方法。
【請求項９】
前記一方側嵌合部材を所定間隔で取り付けておき、この所定間隔長さ以上の長さの前記他方側嵌合部材を使用して、少なくとも他方側嵌合部材が配されていない箇所を前記他方側嵌合部材のみで浸水防止シートを介して押圧することを特徴とする請求項５ないし８のいずれか１記載の浸水防止シートの施工方法。
【発明の詳細な説明】
【技術分野】
【０００１】
本発明は、台風予報、大雨洪水警報や津波警報、河川の決壊警報等に際して、短時間内に施工完了することができるとともに高い浸水防止効果が得られる浸水防止シートの取り付け具及び浸水防止シートの施工方法に関する。
【背景技術】
【０００２】
天気予報技術の進歩および予報単位地域の細分化等によって、今日における気象関連予報の的中精度が格段に向上している。このことは、単純に非難に奔走するばかりでなく、予想される災害に対する対応策を講じる時間的余裕が得られるということでもある。
【０００３】
建物等の倒壊または流失のような建物等の存否自体が問題となる規模の災害が予想される場合においては、個人的な対応策の余地がなく、早急に指定の避難場所に避難すべきである。しかし、このような重大な災害の頻度は低い。水害で最も多く、かつ現実に被害の多いのが床下浸水、または床上浸水程度の災害である。このような水害時における被害の特徴は、人命に及ぶような場合は少なく、家財が泥水に浸かって使用不能となり、当面の日常生活に支障を来たす。
例えば、強風による災害が時間余裕を持って予報されるような場合においては、不安定な建具の固定や、飛散し易い物品の固定、倒壊し易い物品の先倒し等の対応策をとることができる。
従来、特殊な物質を扱う工場や、避難場所に指定されるような公共施設においては、浸水防止対策として水防シャッターまたは水防堰を備える例や（下記、特許文献２参照）、土嚢を備蓄する例がある。また、特殊なユニット工法やパネル工法による建物等の新築に際しては、単位ユニット全体を防水シートで被覆する例や（下記、特許文献１参照）、隣接するパネル間で表面の防水シートを重ね合わせるというような提案例（下記、特許文献３参照）が見られる。また、特許文献４には、構造物の屋内側と屋外側とを連通し、かつ開閉体によって開閉される開口部に設置されるシートと、前記シートを前記開閉体よりも屋外側の位置で前記構造物に対して保持する保持部とを備え、前記保持部は、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように前記シートを保持することを特徴とする開口部の防水装置が開示されている。
また、本願出願人も、建物の浸水防止領域に配される浸水防止シートを使用して、建物への水の進入を防止する浸水防止シートの施工方法やこの工法に使用する浸水防止シートの特許出願を行ない、その内容が開示されている（特許文献５から７）。
【先行技術文献】
【特許文献】
【０００４】
【特許文献１】特開平９−２２８４９５号公報
【特許文献２】特開２００３−３１４１７３号公報
【特許文献３】特開２０１１−９９２２６号公報
【特許文献４】ＷＯ  ２０１３／０６９５７４  Ａ１
【特許文献５】特開２０１３-１５１８５６号公報
【特許文献６】特開２０１３-１５１８５４号公報
【特許文献７】特開２０１３-１５１８５３号公報
【発明の概要】
【発明が解決しようとする課題】
【０００５】
上記従来の提案におけるような浸水防止対策は、その主張に係る創意工夫された部分に関しては、十分な浸水防止機能を発揮することができると考えられる。
しかし、窓枠開口や玄関開口に関して、建て付けられている引き戸や扉を閉じている場合でも、その隙間から浸水の問題が生じる。例えば、窓枠開口に建て付けられている引き戸は、１対の戸車を介して窓枠レールに嵌め込まれており、１対の戸車以外の部分は、窓枠レールから浮いている。窓枠レールには、ラビリンス構造が採用され、風の直接的な吹き抜けについては防止されるようになっているが、浸水防止機能には乏しい。玄関扉についても、そのヒンジ取付け側には、ヒンジを円滑に作動させるための必要最低限の間隙が設定されており、浸水を完全に防止することは困難である。
また、水害に際して浸水が問題になるのは、コンクリート基礎に設けられた通風口、窓枠開口、玄関開口等を含めた建物等の全体構造について問題になるのであり、局所的な浸水防止性能が問題になる訳でない。例えば、水防シャッターまたは水防堰を備える場合においても、水防シャッター等で建物等の全体を囲い込まない限り、建物等の浸水防止領域周りの他の部分の浸水防止対策が問題になる。また、互いに連結されるパネル間における浸水防止性能が十分であるとしても、そのような性能がパネルと別部材との連結部分についても得られるというものではない。
【０００６】
なお、上記目的を達成するために解決すべき課題としては、本発明の浸水防止工法に使用する部材が一般家庭に備蓄しておける物であることの条件を満たすことが必要である。これは、緊急事態に際して必要部材を調達する時間的余裕がないこと、また、浸水災害は、特定地域の多数の建物等に対する同時多発的脅威であり、品不足によって必要部材が調達不能となることが懸念されるからである。
特定の専門業者でなければ施工できないような工事内容を伴わないことが必要である。換言すれば、居合わせの家人においても短時間内に簡単に施工することができる工事内容であることの条件を満たすこと。これは、施工後に避難する場合の非難時間が侵食されないために必要であるともに、同時多発的な脅威に対して特定の業者に多数件の施工依頼が集中した場合、施工が間に合わなくなる事態に至ることが容易に想定されるからである。
建物等に対する浸水の危険が去った後は、建物等を簡単に原状に復帰させることができる必要がある。建物等は、竣工事における状態において所定の住環状等を提供できるように設計されており、したがって、浸水防止工事状態をそのまま放置することは、耐用年数を含め建物等の本来の諸性能を維持する上で支障をきたす恐れがあるからであり、また、原状に復帰するのに過分の費用を要さないようにする必要がある。
【０００７】
ところで、本願出願人の実験によれば、浸水防止シートの下方側等の外周端部が弛んだり皺が寄ると、緩んだ隙間から建物に水が浸入する確率が高い。浸水防止シートの下方側には、土台としてのブロックなどが配置されているが、このブロックを介して建物に水が浸入する（ブロックに滲むようにして入り込む）。また、ブロックよりもコンクリート壁の方が浸水防止効果は高いが、コンクリートの場合でも浸水が完全に防止できるわけではなく、そのコンクリートの施工状態や施工厚みによっては、洪水の水などがコンクリートを介して建物内部に浸入する。図９の例では、シートを重り６で固定しても、捲れた隙間からの浸水を完全に防止できない。
また、建物に水が浸入する確立が高い箇所は、サッシ窓やドアサッシの隙間部分からであり、サッシ窓やドアサッシの箇所で浸水防止シートが弛んだり皺が寄ると、建物に水が浸入する。また、建物の角部（コーナー部）などで浸水防止シートが弛んだりすると、緩んだ隙間から建物に水が浸入する。すなわち、建物に対して浸水防止シートをどの位置でも密着状態にする必要があるが、浸水防止シートの外周端を如何に密着状態にするかが重要であって、中央部分は水力で密着性が維持される。
また、浸水防止シートの所定全幅は、例えば、その地域における過去の水害歴等の地域状況に応じて想定される浸水水位を考慮し、その浸水水位に十分な余裕寸法を加算した寸法に設定されるが、具体的な浸水水位が想定できない場合には、浸水防止シートを継ぎ足す必要がある。しかし、浸水防止シートを継ぎ足すと、その隙間から浸水する恐れが高く、また、繋ぐ箇所に皺が寄ったりすると浸水する恐れが高く、雨が入り込む。
【０００８】
そこで本発明の目的は、浸水防止シートの緩みや皺を生じさせずに、迅速に且つ確実に建物の外周に浸水防止シートを固定することができ、特に、浸水防止シートの下方側からの建物への水の浸入や窓サッシやドアサッシの隙間部分からの建物への水の浸入を防止する浸水防止シートの取り付け具及び浸水防止シートの施工方法を提供することにある。
【課題を解決するための手段】
【０００９】
本発明は、洪水などの浸水があったときに建物の外壁、シャッター、ドア・扉や玄関などの建物の浸水防止領域に配される浸水防止シートを使用して、建物への水の進入を防止する浸水防止シートの施工方法において、建物等の外周に配される外壁、ブロック、又は柱等の外周部材に取り付けられる一方側嵌合部材と、前記浸水防止シートを介して嵌合させる他方側嵌合部材を備え、前記浸水防止シートを一方側嵌合部材と他方側嵌合部材で嵌合して取り付けることを特徴とする。
本発明によれば、建物等の外周壁に浸水防止シートを建物等の外周に配される一方側嵌合部材に他方側嵌合部材を嵌合させて、簡単且つ迅速に建物の外周に浸水防止シートを確実に固定することができる。
本発明としては、前記一方側嵌合部材に対して他方側嵌合部材がスライド動作可能であることが好ましい。
本発明によれば、一方側嵌合部材に対して他方側嵌合部材をスライド動作させて簡単に取り付け取り外しができる。
また、本発明としては、前記一方側嵌合部材を所定間隔で取り付けておき、この所定間隔長さ以上の長さの前記他方側嵌合部材を使用して、少なくとも他方側嵌合部材が配されていない箇所を前記他方側嵌合部材のみで浸水防止シートを介して押圧することが好ましい。
本発明によれば、一方側嵌合部材は短いものを使用して所定箇所に取り付けておき、これよりも長い他方側嵌合部材を使用して確実に取り付けができる。
【００１０】
本発明としては、前記一方側嵌合部材は、建物の外壁、ブロック、又は柱等の外周部材に予め配置しておき、天気予報などによる浸水防止対策の必要時に、前記浸水防止シートを介して他方側嵌合部材を一方側嵌合部材に嵌合して取り付けることを特徴とする。
本発明によれば、前記一方側嵌合部材は、建物の外壁、ブロック、又は柱等の外周部材に予め配置していることから、ゲリラ豪雨などのときに、慌てて一方側嵌合部材を建物に取り付ける必要がなく、他方側嵌合部材のみを取り付けることで足りる。
【００１１】
本発明としては、前記一方側嵌合部材は、サッシ窓、又は、ドアサッシに予め取り付けられていることを特徴とする。
本発明によれば、前記一方側嵌合部材は、サッシ窓やドアサッシに予め取り付けられていることから、ゲリラ豪雨などのときに、慌てて一方側嵌合部材を建物に取り付ける必要がなく、取り付けることができる。また、サッシ窓やドアサッシは、建物の外壁（コンクリートやトタン）とは異なり凹凸が少なく、浸水防止シートを密着状態に取り付けることができる。そして、サッシ窓やドアサッシの隙間から水が浸入する確率が高いが、サッシ窓やドアサッシの箇所での浸水防止シートが弛んだり皺が寄る恐れを防止することができる。すなわち、本発明によれば、前記一方側嵌合部材と他方側嵌合部材により、浸水する恐れがある箇所を集中的に配置して、浸水防止効果を高めることができる。
【００１２】
本発明としては、前記浸水防止シートの下端側を固定するために、建物の外壁近くの地面にコンクリートやモルタルなどの下敷き施工を施して、前記一方側嵌合部材又は前記固定用部材を取り付けることを特徴とする。
本発明によれば、浸水防止シートを外周壁と地面に沿って断面Ｌ字状に密着状態にして取り付けることができる。したがって、浸水防止シートの下端側が捲れたり弛んだり皺が寄る事態がなく、水の侵入を完全に防止することができる。
【発明の効果】
【００１３】
本発明によれば、前記一方側嵌合部材と他方側嵌合部材により、浸水する恐れがある箇所を集中的に配置して、浸水防止効果を高めることができる。窓サッシやドアサッシなどの段差がある箇所でも、浸水防止シートを簡単に密着させることができる。また、建物の外壁近くの地面にコンクリートやモルタルなどの下敷き施工を施して、前記一方側嵌合部材又は前記固定用部材を取り付けると、浸水防止シートを外周壁と地面に沿って断面Ｌ字状に密着状態にして取り付けることができ、浸水防止シートの下端側が捲れたりすることなく、水の侵入を完全に防止することができる。
【図面の簡単な説明】
【００１４】
【図１】本発明の実施形態の浸水防止シートの施工方法を説明する斜視図であり、（ａ）はその全体斜視図であり、（ｂ）は（ａ）の下方側を拡大する図である。
【図２】本発明の実施形態の浸水防止シートの施工方法を説明する斜視図である。
【図３】本発明の実施形態の浸水防止シートの施工方法を説明する断面図であり、（ａ）はコンクリート基礎の近くに溝を形成する例を示し、（ｂ）は（ａ）の溝に錘を差し込む例の図であり、（ｃ）は浸水防水シートを巻き回した状態で配する例を示す断面図である。
【図４】本発明の実施形態の浸水防止シートの施工方法を説明する斜視図である。
【図５】本発明の浸水防止工法の垂直配置の取り付け具を示す斜視図である。
【図６】本発明の浸水防止工法の垂直配置の取り付け具を示す斜視図である。
【図７】本発明の浸水防止シートの取り付け具を示す斜視図である。
【図８】本発明の固定用部材を示す平面図である。
【図９】従来の浸水防止シートの施工方法の例を示す斜視図である。
【発明を実施するための形態】
【００１５】
以下、本発明の一実施の形態を図面を引用しながら説明する。
【００１６】
（浸水防止シートの取り付け具）
浸水防止シートの取り付け具１は、図１（ａ）（ｂ）と図２に示すように、一方側嵌合部材１ａと他方側嵌合部材１ｂを備え、これらの間で、前記浸水防止シート１０を狭持する。この浸水防止シートの取り付け具１としては、所定長さを有する凹状（レール状）の一方側嵌合部材１ａと、これに嵌合するレール状の他方側嵌合部材１ｂが挙げられる。一方側嵌合部材１ａと他方側嵌合部材１ｂは、所定間隔で切り欠き部を形成しておき、レール状の所定長さのものと同時に販売して、所定長さにカットして使用することができる。また、ボタンのように所定間隔をいて着脱する構成でも良い。すなわち、固定用部材５を一方側嵌合部材１ａとして使用することができる。
【００１７】
上記一方側嵌合部材１ａと他方側嵌合部材１ｂとしては、図７（ａ）（ｂ）に示すように、凹状の部材１ａとこれに上方側から嵌合する凸状の部材１ｂとが互いにレール状でスライド可能であること好ましい。また、浸水防止シート１０を介在させるために、浸水防止シート１０を介在させる隙間１ｅが形成されていることが好ましく、更に、突起部１ｆを設けて、浸水防止シート１０を確実に固定することが良い。なお、この隙間１ｅに水が浸入したときには、一方側嵌合部材１ａと他方側嵌合部材１ｂとの嵌め合わせ力が増強する。
そして、前記一方側嵌合部材１ａに対して前記他方側嵌合部材１ｂは、スライド動作可能である。また、前記一方側嵌合部材１ａと他方側嵌合部材１ｂには、所定長さに切断するための切り欠きが所定間隔で形成されていると、所定箇所から所定長さに切断して使用することができる。また、前記一方側嵌合部材１ａと他方側嵌合部材１ｂには、所定長さに切断するための寸法線を入れて、定規のようにして使用することができる。
【００１８】
浸水防止シートの取り付け具１の一方側嵌合部材１ａは、窓サッシＳａ又はドアサッシＳｄに予め配置しておくことが好ましい。また、前記固定用部材５を窓サッシＳａ又はドアサッシＳｄに予め配置しておくことが好ましい。窓サッシＳａ又はドアサッシＳｄの隙間部分からの雨水の浸入が最も心配されるが、窓サッシＳａ又はドアサッシＳｄに一方側嵌合部材１ａや固定用部材５を予め取り付けておくことで、洪水時に慌てて設置する必要をなくすためである（図８（ａ）（ｂ））。
また、これらを建物等の外周に配されるコンクリート基礎２１に予め取り付けるための固定用部材５を設けておくことも好ましい。すなわち、コンクリート基礎２１に近い地面Ｇに一方側嵌合部材１ａを配置することが好ましい（図１（ａ）（ｂ））。固定用部材５としては、外周壁２０に対してネジ止めしたり、窓サッシＳａに粘着剤により粘着させるものなどが考えられる。浸水防止シート１０の下端側が捲れると、その隙間から浸水することがあるため、これを防止する。
【００１９】
浸水防止工法に使用する浸水防止シート１０は、所定幅と不特定長さを有するように可撓性の樹脂製であり、粘着層は形成されていない。可撓性の浸水防止シート１０は、収納性および取扱い性を考慮してロール状にして巻き取られるもので、折り畳まれたものを展開して使用するもので良い。
可撓性の浸水防止シート１０は、非透水性であること、物体の表面形状に追随して自由に変形することができる十分な可撓性を有すること、焼却廃棄に際して環境ホルモンのような有害物質を発散しないこと（分子鎖に塩素を含む素材は使用しない）ことが好ましい。このような樹脂材料としては、汎用樹脂材料中のポリエチレン樹脂やビニール製等の合成樹脂製や、これらにコーティングを施したものを推奨することができる。また、透明な浸水防止シート１０による覆った場合でも建物の状態が確認できるので透明であることが好ましい。
浸水防止シート１０の所定全幅は、例えば、その地域における過去の水害歴等の地域状況に応じて想定される浸水水位を考慮し、その浸水水位に十分な余裕寸法を加算した寸法に設定される。一般的な所定全幅としては、９０ｃｍないし１２０ｃｍあれば十分と考えられる。これよりも高い位置まで浸水した場合は、浸水防止シート１０を更に継ぎ足すが、本発明の施工方法によれば、継ぎ足しても、浸水を防止することができる。
前記浸水防止シート１０は、透明な可撓性のものであり、ロール状に巻き回されていると施工が行いやすいが、本発明のレール状の部材１で密着させて取り付けるために、折り畳みシートを展開して使用する浸水防止シート１０であっても、一方側嵌合部材１ａと他方側嵌合部材１ｂで嵌合して取り付けることができる。
【００２０】
（浸水防止シートの施工方法）
本実施の形態の浸水防止シートの施工方法は、図１（ａ）（ｂ）、図３に示すように、本実施の形態の浸水防止シートの取り付け具１の一方側嵌合部材１ａは、窓サッシＳａ又はドアサッシＳｄに予め配置してあると良い。本実施の形態では、水平方向に配置されているが、角度を問わず配置しても良い。また、前記固定用部材５を窓サッシＳａ又はドアサッシＳｄに予め配置してある。したがって、洪水が発生するときには、他方側嵌合部材１ｂのみを一方側嵌合部材１ａに嵌合させれば足りる。
浸水防止シート１０は、所定全幅の方向を縦方向にして使用する。この際、所定全幅のうちの所定幅を基礎地盤Ｇに沿わせるように水平方向に曲げ、所定全幅の残余部分を建物の壁面２０に沿って立ち上げ、地面ではＬ字状に曲げて、広めに設定する。浸水防止シート１０の始端と終端を十分にオーバラップさせて、垂直に配される一方側嵌合部材１ａに対して他方側嵌合部材を嵌合させる。
【００２１】
これらを建物等の外周に配されるコンクリート基礎２１に予め取り付けるための固定用部材５を設けておくことも好ましい。建物の外壁２０には、所定間隔で溝ｍが形成されているものがある。そこで、この溝ｍに対して固定用部材５を取り付ける。取り付け方としては、ネジで取り付けたり、接着剤などにより取り付け、そしてこの固定用部材５に対して一方側嵌合部材１ａを取り付ける。図８（ａ）は、外壁の溝ｍに水平方向に取り付け具（一方側嵌合部材）１ａを取り付けるための固定用部材５の例であり、図８（ａ）は、外壁の溝ｍに水平方向に取り付け具（一方側嵌合部材）１ａを取り付けるための固定用部材５の例である。
また、少なくとも浸水防水シート１０の上端側１０ａと下端側１０ｂは、他方側嵌合部材１ｂが建物の全周囲に配されるようにした。この場合、一方側嵌合部材１ａは、建物の全周囲に配される必要はなく、所定間隔で足りる。他方側嵌合部材１ｂは、一方側嵌合部材１ａに対してスライド動作可能であり、建物の外周角部（コーナ部）などでは、一方壁側の他方側嵌合部材１ｂと他方壁側の他方側嵌合部材１ｂとを互いの先端部同士接触するようにスライド動作させて接触させる。このように密着構造にすると、浸水防止シート１０を継ぎ足す必要があるときでも、継ぎ足し部分に隙間が生じたり、皺ができたりせずに、浸水を防止でき、また、繋ぐ箇所に皺が寄ったりするところから雨が入り込むこともなくなる。
また、一方側嵌合部材１ａは、建物２０の全周囲において所定間隔で配置しておき、他方側嵌合部材１ｂは、できるだけ長さの長いもので対応して、間隔開けないで配置することが好ましい。すなわち、一方側嵌合部材１ａは長さの短いものを所定間隔で取り付けておき、この所定間隔長さ以上の長さの他方側嵌合部材１ｂを使用して、少なくとも他方側嵌合部材１ｂが配されていない箇所を他方側嵌合部材１ｂのみで浸水防止シート１０を取り付けることも可能である。なお、このように取り付けると、一方側嵌合部材１ａと他方側嵌合部材１ｂとの間に水が浸入して、一方側嵌合部材１ａと他方側嵌合部材１ｂとの嵌め合わせ力が増強する。
【００２２】
本実施の形態では、上記水平方向の一方側嵌合部材１ａと他方側嵌合部材１ｂのほかに、垂直に配される一方側嵌合部材と他方側嵌合部材１ｃが配置されている（図５、図６）。水平方向に配置される一方側嵌合部材１ａと他方側嵌合部材１ｂと、垂直に配される一方側嵌合部材１ａと他方側嵌合部材１ｂとは、連結状態にして（間隔を開けないで）配置させることが密着構造の点で好ましい。
【００２３】
また、浸水防止シート１０の下方側１０ｂが捲れたり皺が寄ったりすると、その隙間部分から水が進入することがある。そこで、浸水防止シート１０の下方側１０ｂからの水の浸入を確実に防止するために、建物２０の外壁近くの地面にコンクリートやモルタルなどの下敷き施工Ｃを施して、前記一方側嵌合部材１ａ又は前記固定用部材５を取り付ける（図６）。すなわち、コンクリートＣに形成した溝Ｃｍに前記一方側嵌合部材１ａ又は前記固定用部材５を埋設させる。なお、地面に上記溝Ｃｍを形成しても良い（図３（ａ））。また、玄関のドアＤｒの前などでは、上記溝Ｃｍにゴム材Ｇｕを一対配して、一対の隙間に浸水防止シート１０の先端に錘Ｃｏを連結されており、この錘Ｃｏを上記一対のゴム材Ｇｕの隙間に埋め込むようにして固定しても良い（図３（ｂ））。ゴム材Ｇｕは、溝Ｃｍから取り外し可能である。さらに、浸水防止シート１０は、円筒状部材Ｃｄに巻き回された状態で配置され（例えば窓サッシの下）、これを引き出すようにして配するようにしても良い（図３（ｃ））。円筒状部材Ｃｄに他方側嵌合部材１ｂを収納して保管しておいても良い。
【００２４】
このように浸水防止シート１０を建物２０の基礎部分（下方側）を取り巻くように施工された浸水防止シート１０を水の水圧によって建物２０の浸水防止領域に密着させることによって、高度の水密化工事をした場合と同等の浸水防止機能を発揮させることができる。ここで、本明細書において「建物」とは、住居用の一般建物のほかに、集合住宅、車庫、倉庫、蔵、工場、店舗、その他、浸水被害から保護する価値を有する建造物を含むものである。住居等に使用する建物（家屋）は勿論、ブロックの基礎の上にトタンや外壁構造を有する家屋において完全に水の侵入を防止する。外周にコンクリートの基礎を有して、出入り口のみコンクリートの基礎がないコンビニエンスストアの出入り口を、本実施の形態の施工方法で施工すると効果的である。
【００２５】
固定用部材５は、粘着層を利用して壁面やガラス部分に貼り付けることも可能である。そして、浸水防止シート１０の上端部の高さ位置を一定に維持しながら建物２０の浸水防止領域に配する。「浸水防止領域」とは、建物２０の内部環境と外部環境とを区画する部材の総称であり、コンクリート基礎２１、モルタル吹き付け、または浸水防止領域パネル張りの壁面２３、玄関扉２４、固定式または開閉式のガラス戸２６や取り付け具その他の区画部材を含むものでも適用可能である。このように、建物の壁側と窓サッシＳａ又はドアサッシＳｄの部分で段差を生じることがあるが、前記固定用部材のネジで固定用部材５の高さ位置（突出量）を調整することで、上記段差を解消することができる（図６）。
【００２６】
また、建物２０に給湯ユニットのような付属物が外に存する場合、給湯ユニットの外周を囲むように一方側嵌合部材１ａと他方側嵌合部材１ａにより防止シート１０によって取り囲むように施工する。また、地盤Ｇに玄関部のアプローチ階段のような立上り段差がある場合には、その段差部に対応して緩みを生じさせないように施工する。また、コンクリート基礎２１に設けられた通風口などでは、前記一方側嵌合部材を架け渡して取り付けたり、その外周を囲むように取り付け具１を配することもできる。
【００２７】
（実験）
実際にプレハブ小屋を設置して、本実施の形態の浸水防止シートの施工方法による実験を行なった（図１（ａ）（ｂ）、図３（ａ））。基礎地盤Ｇがブロックでは、建物内部に水が入る（内部に滲むように入る）ことが分かった。そこで、建物の外周壁２０の下端側とその近くの地面にコンクリートＣを施し、このコンクリートＣに固定用部材５を配置して、固定用部材５に一方側嵌合部材１ａを取り付け、浸水防止シート１０を介して他方側嵌合部材１ａを嵌合させた。そして、建物２０の外壁近くの地面ＧにコンクリートＣやモルタルなどの下敷き施工を施して、前記一方側嵌合部材１ａ又は固定用部材５を取り付ける。したがって、浸水防止シート１０の下方側１０ｂからの雨水の浸入を確実に防止することができる。
【符号の説明】
【００２８】
１          浸水防止シートの取り付け具、
１ａ        一方側嵌合部材、１ｂ    他方側嵌合部材、
１ｃ        垂直姿勢の一方側嵌合部材と他方側嵌合部材、
５          固定用部材、
１０        浸水防止シート、１０ａ  上方側、１０ｂ    下方側、
２０        建物（外周壁、外壁）、２１  基礎、
２１        建物の基礎（ブロック、コンクリート）、
ｍ          外壁の溝、
Ｃ          コンクリート（モルタル）、Ｃｍ    溝、Ｃｏ  錘、
Ｇ          地面
【図１】
2015086657.tif 000003
【図２】
2015086657.tif 000004
【図３】
2015086657.tif 000005
【図４】
2015086657.tif 000006
【図５】
2015086657.tif 000007
【図６】
2015086657.tif 000008
【図７】
2015086657.tif 000009
【図８】
2015086657.tif 000010
【図９】
2015086657.tif 000011